(57)【要約】      （修正有）【課題】駐車スペース表示のための現場作業に掛かる時間と労力を大幅に短縮節減できると共に、区画シートと特定シートの自由な発想による配列と組み合わせによって、駐車スペースを創造的な広告メディアとして活用できる駐車スペース表示方法を提供する。【解決手段】駐車スペース面を区画する粘着シートを用いた区画表示シート１、１及びその駐車スペースＡを特定するための粘着シートを用いた特定表示シート２を組み合わせて、スペース面に貼付して駐車スペースを表示する。また、シートを広告メディアにも活用できるようにした。【選択図】図１
2008051956.tif 000002
【特許請求の範囲】
【請求項１】
駐車スペース面を区画する区画表示シート及びその駐車スペースを特定するための特定表示シートを組み合わせて、スペース面に貼付して駐車スペースを表示するようにしたことを特徴とする駐車スペース表示システム
【請求項２】
区画表示シート及び駐車スペース特定表示シートの一方若しくは双方の表面余白部に宣伝広告事項を表示して広告媒体に構成した請求項１記載の駐車スペース表示システム
【請求項３】
駐車スペースの中央部に宣伝広告事項を表示した広告媒体シートを貼付するようにした請求項２記載の駐車スペース表示システム
【請求項４】
裏面に粘着層を形成し、表面余白部に宣伝広告事項を表示して構成した駐車スペース表示シート
【請求項５】
適宜形状に分割して貼付時に各構成シートを接合して表示シートを構成する場合において、分割線を斜線にして接合面が斜面接合になるように構成した請求項４記載の駐車スペース表示シート
【請求項６】
表面表示に反射塗料或いは蛍光塗料、光源埋設を用いるようにしたことを特徴とする請求項４記載又は請求項５の駐車スペース表示シート
【請求項７】
表示表面に光硬化型塗布剤等によって透明ハードコート層を形成するようにしたことを特徴とする請求項４又は請求項５又は請求項６記載の駐車スペース表示シート
【発明の詳細な説明】
【技術分野】
【０００１】
本発明は、着脱可能な粘着シートの組み合わせによって駐車スペースを表示し、更には、表示シートの表面、或いは駐車スペースの余白を広告媒体に利用するようにした駐車スペース表示システムとこれに用いる表示シートに関するものである。
【背景技術】
【０００２】
駐車スペースの表示については、駐車する場所の区画表示と駐車場のように複数台の車両を駐車する場合にその場所を特定するための特定表示とが必要であり、従来は、地面に白ペンキ等によって直接ラインを引いたり、番号表示をしたりすることが行われてきている。
【０００３】
また、特許文献１に記載されているように、区画表示用の数字を印字したプレートを駐車区画のアスファルト面に貼付けるようにし、２桁以上の場合は数字を組み合わせて並べることにより番号付け表示することも行われてきた。
【０００４】
更に、特許文献２に記載されるように、ベルト状固定基板を駐車スペースに配置し、その基板上に擬木を立設して自動車の駐車位置を確認できるようにしたもの等が存在する。
【特許文献１】第３０４８７７８号登録実用新案公報
【特許文献２】実開平０２−７８６１９号公報
【発明の開示】
【発明が解決しようとする課題】
【０００５】
しかしながら、白ペンキ等によって駐車スペース面に直接ラインを引いたり、番号表示を行うには、現場作業に多くの時間と労力が必要であり、更に、塗料の乾燥まで時間が掛かり、その間、スペース面を使用することができないほか、立ち入り禁止表示などの表示まで行わなければならなかった。
【０００６】
また、プレートやベルト状固定基板を駐車面に貼付ける方法による場合には、駐車スペースの表面はコンクリート、アスファルト等、舗装条件によってさまざまであり、硬質のプレートを用いた場合、必ずしもスペース面に馴染まず剥離する恐れがあり、更に、プレートの厚みが段差を生じ、入庫時に違和感を感じさせるほか、スペース内を歩行する者が段差に躓いて思わぬ事故を招きかねない問題がある。
【０００７】
更に、駐車スペース面は飾り気のない路面形状に構成され、味気ないだけでなく入庫者が自分の駐車したスペースに対する印象が薄いため、大きな駐車場では自分の駐車したスペースが何処だったか忘れてしまって捜し回ることも少なくなかった。
【０００８】
また、駐車面に貼付する表示シートが大形になった場合、特にラインシートのように細長い形状になると適宜形状に分割して貼付時に各構成シートを接合する必要となるが、単純な矩形に分割して並列すると、並列接面にずれを生じてライン状にまっすぐ並列することが困難になる問題もあった。
【課題を解決するための手段】
【０００９】
本発明は上記した問題に鑑みこれに対応しようとするものであり、駐車スペース面を区画する区画表示シート及びその駐車スペースを特定するための特定表示シートを組み合わせて、スペース面に貼付して駐車スペースを表示することにより現場作業に掛かる時間と労力を最小限に留めるようにした。
【００１０】
また、区画表示シート及び駐車スペース特定表示シートの一方若しくは双方の表面余白部に宣伝広告事項を表示して広告媒体に構成し、更には、駐車スペースの中央部に宣伝広告事項を表示した広告媒体シートを貼付して、広告収入に結び付けると共に、広告コンテンツによって駐車スペースを華やかなものにし、入庫者に駐車スペースを個性的なものとして印象づけることにも利用できるようにした。
【００１１】
更に、大形の表示シートやラインシートのように細長い形状の表示シートを適宜形状に分割して貼付時に各構成シートを接合する場合に並列接面にずれが生じないようにするため、分割線を斜線にして接合面が斜面接合になるように構成して正確な並列が保持できるようにした。
【００１２】
上記のように、表示シートの組み合わせ貼付により表示作業の合理化を図り、ブランクスペースを有効利用する一方、裏面に粘着層を形成した厚みのないシートに構成して駐車スペース表面の舗装条件に対応し、駐車スペース面を段差のない滑らかな床面として保持できるようにしている。
【００１３】
次いで、シートの表面表示に反射塗料或いは蛍光塗料、ＬＳＤ等を用いるようにして、照明環境の如何に関わらず表示を鮮明なものに維持し、更に、表示面の汚染や摩耗、褪色に対応すべくシートの表示表面に光硬化型塗布剤等によって透明ハードコート層を形成するようにした。
【実施例】
【００１４】
以下、図面を参照して本発明の実施例を説明する。図１は、表示シートの組み合わせ貼付を行った駐車スペースの平面図で、本発明実施の一例を示すものである。Ａは車両１台分の駐車スペースで両側に区画ライン表示シート１、１が貼付され、背後に車止めＢが配置されている。
【００１５】
区画ライン表示シート１、１は、その前端に駐車スペースの所在区域（図示のものはキャラクターによって区域を示すもので、ライオン区域の表示）を示す区域表示シート１ａ、その背後にスペース区画ラインを形成すると共に広告媒体としてキャッチフレーズや図柄を表示するラインシートが、１ｂ、１ｃ、１ｄの構成片の組み合わせによって形成される。
【００１６】
ラインシートの構成片１ｂ、１ｃ、１ｄは、図１に示すように斜辺による組み合わせ並列貼付けをすることにより、並列し易く取扱いにも便利であるが、他の形状にしたり、区域表示シートと共に１枚ものに構成しても良い。
【００１７】
対をなして貼付けられる区画ライン表示シート１、１の中間中央部には、駐車スペースの所在位置を番号で示す番号表示シート２が貼付けられる。番号表示シート２は、広告表示片２ａ、番号表示片２ｂ、２ｃの組み合わせによって構成され、駐車スペース面上に並列貼付されることによって合体し、広告メディアとしての駐車スペース番号表示シートが形成される。
【００１８】
区画ライン表示シート１、１、番号表示シート２、車止めＢによって区画形成された駐車スペースの中央部には、更に、自由な大きさで宣伝コンテンツを表現できる広告メディアシート３が貼付される。広告メディアシート３も適当な構成片に分割して並列貼付しても良いし、１枚ものに構成しても良い。
【００１９】
区画ライン表示シート１のライン部分は、組み合わせ接合面が斜面接合になるように斜線に構成された分割線Ｌによって分割された１ｂ、１ｃ、１ｄの構成片の組み合わせによって形成されている。このように構成することによって単純な矩形に分割して並列した場合に生ずる並列接面のずれの発生を防止し、ライン状にまっすぐ並列することができる。
【００２０】
以上は、表示シート組み合わせ配列の一例を示したもので、配列や組み合わせの仕方は、これに限られないのは勿論、自由な発想による配列と組み合わせによって駐車スペースを効果的に表示し、創造的なメディアシートとして広告宣伝効果を高めることが可能である。
【００２１】
表示シートは、多数の小孔を穿設して柔軟性を付与したアルミ合金シート等の金属箔、柔軟性のある合成樹脂シート等を基材１１とし、表面に文字や図形等を焼付け表示した塗装層１２、裏面は対象面に対して貼付するための粘着層１３が形成され、塗装層１２の表面には光硬化型塗布剤等による透明ハードコート層１４が形成されている。また、粘着層１３は対象面に貼付されるまでの間、保護シート（図示しない）によって被覆される。
【００２２】
また、区画表示や特定表示のコンテンツが表現される塗装層１２は、反射塗料或いは蛍光塗料、更には、ＬＳＤ等の光源埋設を用いることによって、照明度の低い場所ても明確な表示が確保できると共に、広告宣伝についてのデコレーション効果も加えることができる。
【００２３】
本発明は以上のように構成したので、駐車スペース表示のための現場作業に掛かる時間と労力を大幅に短縮節減できると共に、区画シートと特定シートの自由な発想による配列と組み合わせによって、駐車スペースを創造的な広告メディアとして活用できたものである。
【図面の簡単な説明】
【００２４】
【図１】本発明の実施例を示すもので、区画シートと特定シートの配列例を示す駐車スペース区画の平面図
【図２】同じく、シート素材の積層状况を示す、表示シートの拡大縦断面側面図
【符号の説明】
【００２５】
１  区画ライン表示シート
１ａ  区域表示シート
１ｂ  ラインシートの構成片
１ｃ  ラインシートの構成片
１ｄ  ラインシートの構成片
１１  表示シートの基材
１２  表示シートの塗装層
１３  表示シートの粘着層
１４  表示シートの透明ハードコート層
２  番号表示シート
２ａ  広告表示片
２ｂ  番号表示片
２ｃ  番号表示片
３  広告メディアシート
Ａ  車両１台分の駐車スペース
Ｂ  駐車スペースの車止め
Ｌ  斜面接合構成片形成のための分割線
【図１】
2008051956.tif 000003
【図２】
2008051956.tif 000004